【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
イントラブロックコピーモードを用いてビデオデータを復号する方法において、
カレントピクチャとリファレンスピクチャをリファレンスピクチャリストに含めることと、前記リファレンスピクチャは前記カレントピクチャと異なる、
前記リファレンスピクチャのコロケートされたブロックを決定することと、前記コロケートされたブロックは前記カレントピクチャのカレントブロックとコロケートされる、
前記コロケートされたブロックから時間動きベクトル予測子を導出することと、
前記時間動きベクトル予測子がサブピクセル精度を有すると決定することと、
サブピクセル精度を有すると決定された前記時間動きベクトル予測子を右シフトすることと、
前記右シフトされた時間動きベクトル予測子に基づいて、前記カレントピクチャ内の予測ブロックを決定することと、
残差ブロックのサンプルと前記予測ブロックの対応するサンプルとを合計することにより復号されたビデオブロックを形成することと、
を備えた方法。
【請求項２】
前記リファレンスピクチャリストは第１のリファレンスピクチャリストであり、前記方法はさらに、イントラブロックコピーモードが前記カレントピクチャのＢスライスに関してイネーブルされることに基づいて、前記Ｂスライスに関する前記カレントピクチャを含む第２のリファレンスピクチャリストを構築することを備えた、または、
前記カレントピクチャは第１のピクチャであり、前記リファレンスピクチャリストは第１のリファレンスピクチャリストであり、前記方法はさらに、
イントラブロックコピーが第２のピクチャに関してイネーブルされるかどうかを示すシンタックス要素をビットストリームから取得することと、
前記第２のピクチャのＩスライスに関する復号プロセスの一部として、イントラブロックコピーが前記Ｉスライスに関してイネーブルされる前記シンタックス要素に基づいた決定に応答して、第２のリファレンスピクチャリストを構築することと、前記第２のリファレンスピクチャリストは前記第２のピクチャを含む、
を備えた、または、
前記方法はさらに、イントラブロックコピーモード符号化ブロックに関する少なくとも１つの動きベクトル候補とインター予測モード符号化ブロックに関する少なくとも１つの候補を含む動きベクトル候補リストを生成することを備えた、請求項１の方法。
【請求項３】
前記カレントピクチャと前記リファレンスピクチャを前記リファレンスピクチャリストに含めることは、
前記リファレンスピクチャリストにおいて、前記リファレンスピクチャリスト内のロングタームピクチャの前に前記カレントピクチャを含めることと、
前記リファレンスピクチャリストにおいて、スライスがＩスライスか、Ｐスライスか、Ｂスライスかに基づいて前記リファレンスピクチャリスト内のロケーションに前記カレントピクチャを含めることと、
の１つを備えた、請求項１の方法。
【請求項４】
イントラブロックコピーモードを用いてビデオデータを符号化する方法において、
カレントピクチャとリファレンスピクチャをリファレンスピクチャリストに含めることと、前記リファレンスピクチャは前記カレントピクチャと異なる、
前記リファレンスピクチャのコロケートされたブロックを決定することと、前記コロケートされたブロックは前記カレントピクチャのカレントブロックとコロケートされる、
前記コロケートされたブロックから時間動きベクトル予測子を導出することと、
前記時間動きベクトル予測子がサブピクセル精度を有すると決定することと、
サブピクセル精度を有すると決定された前記時間動きベクトル予測子を右シフトすることと、
前記右シフトされた時間動きベクトル予測子に基づいて、前記カレントピクチャ内の予測ブロックを決定することと、
前記右シフトされた時間動きベクトル予測子に基づいて決定された前記予測ブロックと前記カレントブロックとの間の差分を表す残差データを生成することと、
を備えた方法。
【請求項５】
前記リファレンスピクチャリストは第１のリファレンスピクチャリストであり、前記方法はさらに、イントラブロックコピーモードが前記カレントピクチャのＢスライスに関してイネーブルされることに基づいて、前記Ｂスライスに関する前記カレントピクチャを含む第２のリファレンスピクチャリストを構築することを備えた、または、
前記カレントピクチャは第１のピクチャであり、前記リファレンスピクチャリストは第１のリファレンスピクチャリストであり、前記方法はさらに、第２のピクチャのＩスライスに関してイントラブロックコピーがイネーブルされるとき前記Ｉスライスに関して第２のリファレンスピクチャリストを構築することを備え、前記第２のリファレンスピクチャリストは前記第２のピクチャを含む、または、
前記方法はさらに、イントラブロックコピーモード符号化ブロックに関する少なくとも１つの動きベクトル候補とインター予測モード符号化ブロックに関する少なくとも１つの候補を含む動きベクトル候補リストを生成することを備えた、請求項４の方法。
【請求項６】
前記カレントピクチャと前記リファレンスピクチャを前記リファレンスピクチャリストに含めることは、
前記リファレンスピクチャリストにおいて、前記リファレンスピクチャリスト内のロングタームピクチャの前に前記カレントピクチャを含めることと、
前記リファレンスピクチャリストにおいて、スライスがＩスライスか、Ｐスライスか、Ｂスライスかに基づいて前記リファレンスピクチャリスト内のロケーションに前記カレントピクチャを含めることと、
の１つを備えた、請求項４の方法。
【請求項７】
イントラブロックコピーモードを用いてビデオデータを復号するデバイスにおいて、
リファレンスピクチャのビデオデータを記憶するように構成されたメモリと、
カレントピクチャと前記リファレンスピクチャをリファレンスピクチャリストに含め、前記リファレンスピクチャは前記カレントピクチャと異なる、
前記リファレンスピクチャのコロケートされたブロックを決定し、前記コロケートされたブロックは前記カレントピクチャのカレントブロックとコロケートされる、
前記コロケートされたブロックから時間動きベクトル予測子を導出し、
前記時間動きベクトル予測子がサブピクセル精度を有すると決定し、
サブピクセル精度を有すると決定された前記時間動きベクトル予測子を右シフトし、    前記右シフトされた時間動きベクトル予測子に基づいて、前記カレントピクチャ内の予測ブロックを決定し、
残差ブロックのサンプルと前記予測ブロックの対応するサンプルとを合計することにより復号されたビデオブロックを形成する、
ように構成された１つまたは複数のプロセッサと、
を備えたデバイス。
【請求項８】
前記リファレンスピクチャリストは第１のリファレンスピクチャリストであり、前記１つまたは複数のプロセッサは、イントラブロックコピーモードが前記カレントピクチャのＢスライスに関してイネーブルされることに基づいて、前記Ｂスライスに関する前記カレントピクチャを含む第２のリファレンスピクチャリストを構築するようにさらに構成される、または、
前記カレントピクチャは第１のピクチャであり、前記リファレンスピクチャリストは第１のリファレンスピクチャリストであり、前記１つまたは複数のプロセッサは、
イントラブロックコピーが第２のピクチャに関してイネーブルされるかどうかを示すシンタックス要素をビットストリームから取得し、
前記第２のピクチャのＩスライスに関する復号プロセスの一部として、イントラブロックコピーが前記Ｉスライスに関してイネーブルされる前記シンタックス要素に基づいた決定に応答して、第２のリファレンスピクチャリストを構築するようにさらに構成され、前記第２のリファレンスピクチャリストは前記第２のピクチャを含む、または、
前記１つまたは複数のプロセッサは、イントラブロックコピーモード符号化ブロックに関する少なくとも１つの動きベクトル候補とインター予測モード符号化ブロックに関する少なくとも１つの候補を含む動きベクトル候補リストを生成するようにさらに構成される、請求項７のデバイス。
【請求項９】
前記１つまたは複数のプロセッサは、
前記リファレンスピクチャリストにおいて、前記リファレンスピクチャリスト内のロングタームピクチャの前に前記カレントピクチャを含めること、
前記リファレンスピクチャリストにおいて、スライスがＩスライスか、Ｐスライスか、Ｂスライスかに基づいて前記リファレンスピクチャリスト内のロケーションに前記カレントピクチャを含めること
の１つを実行するように構成される、請求項７のデバイス。
【請求項１０】
前記デバイスは、
集積回路、
マイクロプロセッサ、または
前記カレントピクチャを表示するように構成されたディスプレイ、または前記カレントピクチャを撮像するように構成されたカメラの１つまたは両方を備えたワイヤレス通信デバイス、
の少なくとも１つを備えた、または、
前記デバイスは、復号されたビデオデータを表示するように構成されたディスプレイをさらに備えた、または、
前記１つまたは複数のプロセッサは、前記ビデオデータを符号化するようにさらに構成され、前記デバイスは、前記ビデオデータを撮像するように構成されたカメラをさらに備えた、請求項７のデバイス。
【請求項１１】
イントラブロックコピーモードを用いてビデオデータを符号化するためのデバイスにおいて、
リファレンスピクチャのビデオデータを記憶するように構成されたメモリと、
カレントピクチャと前記リファレンスピクチャをリファレンスピクチャリストに含め、前記リファレンスピクチャは前記カレントピクチャと異なる、
前記リファレンスピクチャのコロケートされたブロックを決定し、前記コロケートされたブロックは前記カレントピクチャのカレントブロックとコロケートされる、
前記コロケートされたブロックから時間動きベクトル予測子を導出し、
前記時間動きベクトル予測子がサブピクセル精度を有すると決定し、
サブピクセル精度を有すると決定された前記時間動きベクトル予測子を右シフトし、    前記右シフトされた時間動きベクトル予測子に基づいて、前記カレントピクチャ内の予測ブロックを決定し、
前記右シフトされた時間動きベクトル予測子に基づいて決定された前記予測ブロックと前記カレントブロックとの間の差分を表す残差データを生成する、
ように構成された１つまたは複数のプロセッサと、
を備えたデバイス。
【請求項１２】
前記リファレンスピクチャリストは第１のリファレンスピクチャリストであり、前記１つまたは複数のプロセッサは、イントラブロックコピーモードが前記カレントピクチャのＢスライスに関してイネーブルされることに基づいて、前記Ｂスライスに関する前記カレントピクチャを含む第２のリファレンスピクチャリストを構築するようにさらに構成された、または、
前記カレントピクチャは第１のピクチャであり、前記リファレンスピクチャリストは第１のリファレンスピクチャリストであり、前記１つまたは複数のプロセッサは、第２のピクチャのＩスライスに関してイントラブロックコピーがイネーブルされるとき前記Ｉスライスに関して第２のリファレンスピクチャリストを構築するようにさらに構成され、前記第２のリファレンスピクチャリストは前記第２のピクチャを含む、または、
前記１つまたは複数のプロセッサは、イントラブロックコピーモード符号化ブロックに関する少なくとも１つの動きベクトル候補とインター予測モード符号化ブロックに関する少なくとも１つの候補を含む動きベクトル候補リストを生成するようにさらに構成される、請求項１１のデバイス。
【請求項１３】
前記１つまたは複数のプロセッサは、
前記リファレンスピクチャリストにおいて、前記リファレンスピクチャリスト内のロングタームピクチャの前に前記カレントピクチャを含めること、
前記リファレンスピクチャリストにおいて、スライスがＩスライスか、Ｐスライスか、Ｂスライスかに基づいて前記リファレンスピクチャリスト内のロケーションに前記カレントピクチャを含めること、
の１つを実行するように構成される、請求項１１のデバイス。
【請求項１４】
前記デバイスは、
集積回路、
マイクロプロセッサ、または
前記カレントピクチャを表示するように構成されたディスプレイ、または前記カレントピクチャを撮像するように構成されたカメラの１つまたは両方を備えたワイヤレス通信デバイス、
の少なくとも１つを備えた、または、
前記デバイスは、復号されたビデオデータを表示するように構成されたディスプレイをさらに備えた、または、
前記１つまたは複数のプロセッサは、ビデオデータを復号するようにさらに構成された、請求項１１のデバイス。
【請求項１５】
実行されると、ビデオデータをコード化するように構成されたコンピューティングデバイスの１つまたは複数のプロセッサに、
カレントピクチャとリファレンスピクチャをリファレンスピクチャリストに含ませ、前記リファレンスピクチャは前記カレントピクチャと異なる、
前記リファレンスピクチャのコロケートされたブロックを決定させ、前記コロケートされたブロックは前記カレントピクチャのカレントブロックとコロケートされる、
前記コロケートされたブロックから時間動きベクトル予測子を導出させ、
前記時間動きベクトル予測子がサブピクセル精度を有すると決定させ、
サブピクセル精度を有すると決定された前記時間動きベクトル予測子を右シフトさせ、  前記右シフトされた時間動きベクトル予測子に基づいて、前記カレントピクチャ内の予測ブロックを決定させる、
命令を記憶した、非一時的コンピュータ読取可能記憶媒体。